(57)【要約】  大樽が大樽の中央壁面部分に対して縮小された直径の終了表面側壁部分を有する大樽およびチャイムの組立体が開示される。大樽の縮小された直径部分は、環状溝により大樽の中央壁面部分から分けられ、それにより、突出している肩は大樽の中央の部分に隣接した溝に供される。チャイムは、大樽の各終了に装着され、溝にスナップ嵌合するように適合したフランジを有する。肩は、さもなければ溝からチャイムを変位し得る垂直の力に対する支持を提供する。
2007537949.tif 000002
【特許請求の範囲】
【請求項１】
第１の直径の中央壁面部分を有する円筒状側壁、第１の直径未満の第２の直径の少なくとも１つの末端壁面部分、中央壁面部分から少なくとも１つの末端壁面部分の分離する円筒状側壁の周囲に延在する少なくとも１つの環状溝、および中央壁面部分に隣接した突出している肩を有する環状溝を有する大樽（cask）；および
少なくとも１つの末端壁面部分を囲む第１の環状リム部分を有する大樽に装着した少なくとも１つのチャイムを含み；
ここに、該環状リム部分は、環状溝にスナップ嵌合し、および突出している肩に対して少なくとも部分的に着座するのに適合させた内曲げフランジを有することを特徴とするアルコール含有の大樽およびチャイム組立体。
【請求項２】
環状リム部分が、その直径が実質的に中央壁面部分の第１の直径に実質的に相当する第１の外部リム壁部を有する請求項１記載の組立体。
【請求項３】
（ａ）（i）第１の直径の中央壁面部分、
（ii） 第１の直径未満の第２の直径の上部の末端壁面部分、
（iii） 中央壁面部分から上部の末端壁面部分を分離する円筒状側壁の周囲に延在する第１の環状溝、ここに、第１の環状溝は、中央壁面部分に隣接する下部の突出している肩を有し、
（iv） 第２の直径の下部の末端壁面部分、
（v） 中央壁面部分から下部の末端壁面部分を分離する円筒状側壁の周囲に延在する第２の環状溝、ここに、第２の環状溝は、中央壁面部分に隣接する
上部の突出している肩を有し；
を含む円筒側壁を有する大樽；
（ｂ）上部の末端壁面部分を囲む第１の環状リム部分を有する大樽に装着された第１のチャイム（ここに、第１の環状リム部分は、第１の環状溝にスナップ嵌合しおよび下部の突出している肩に対して少なくとも部分的に着座させるのに適合させた内曲げフランジを有し；および
（ｃ）下部の末端壁面部分を囲む第２の環状リム部分を有する大樽に装着した第２のチャイム、ここに、第２の環状リム部分は、第２の環状溝にスナップ嵌合しおよび上部の突出している肩に対して少なくとも部分的部分的に着座させるのに適合された内曲げフランジを有し；
を含むアルコール含有の大樽およびチャイム組立体。
【請求項４】
第１の環状リム部分が、直径が中央壁面部分の第１の直径に実質的に相当する第１の外部のリム壁部を有し、かつ第２の環状リム部分が、中央壁面部分の第１の直径にその直径が実質的に相当する外部のリム壁部を有する請求項３記載の組立体。
【発明の詳細な説明】
【技術分野】
【０００１】
本発明は、アルコール飲料を収容するのに適した大樽（cask）およびチャイムの組立体に関する。
【背景技術】
【０００２】
板紙タイプ容器に収容されたバッグ中にワインのごときアルコールを含有させることは知られている。さらに、バッグ中にビールを蓄えるために大樽に挿入されたバッグを用いることが知られている。この種のビールキャスト（cast）の使用は、家庭用ビール分注器具に挿入した構成部分としてより一般的になっている。家庭用分注器具は、典型的には大樽が器具に差し込まれた１以上のドアを有する。分注器具は、主として家庭内キッチンにおける使用を意図し、それ自体がキッチンカウンタ・トップに容易に置かれるように適合する。キッチンカウンタ上部の空間が大部分の世帯において大いに需要があるため、器具は器具により必要とされるカウンター頂部空間上に最小限にするように構築される。
【０００３】
典型的には、大樽は、それに装着されたプラスチックチャイムによりその上部および下部の端で保護される。これらのチャイムは、大樽に位置した溝（groove）に嵌合した内曲げフランジを持つリム部分を有する。チャイムのリム部分は、大樽から突出させて位置させる。この結果、チャイムは、大樽により必要とされるより大きな空間領域を占有する。さらに、パレットのスタッキングの間に、チャイムは、屈曲し、フランジが装着される溝に対する位置を移動し得る。従って、チャイムのスタッキング強度は、大樽へのチャイムの取り付けの強度により支配される。従って、大樽のそれに類似する空間的な要求を持つ改良されたスタッキング強度を提供する必要性が存在する。
【０００４】
発明の概要
本発明は大樽およびチャイムの組立体に関する。特に、本発明は、チャイムの外部の周囲が必ずしも大樽の外径から突出して延在するとは限らない大樽を持つ少なくとも１つのチャイムの使用に関する。これは、大樽の中央壁面部分と比較して、縮小された直径の少なくとも１つの末端壁面部分を有する円筒状側壁を有する大樽の提供により達成される。その終了および中央壁面部分は、中央壁面部分に隣接して突出している肩を有する少なくとも１つの環状溝により分離される。チャイムは、環状溝にスナップ嵌合し、かつ突出している肩に対してそれ自体を少なくとも部分的に着座させる内曲げフランジを持つ第１の環状リム部分を有する。突出している肩に対する環状のリムの内曲げフランジの着座は、垂直に変位させたスタッキング力に対する大樽へのチャイムの取り付けの強化を提供する。
【０００５】
本発明の態様により、アルコールを含有する大樽およびチャイム組立体が提供される。その組立体は、大樽および大樽に装着された少なくとも１つのチャイムを含む。大樽は、第１の直径の中央壁面部分を有する円筒状側壁を有する。大樽は、第１の直径未満の第２の直径の少なくとも１つの末端壁面部分を有する。大樽は、中央壁面部分から少なくとも１つの末端壁面部分を分離する円筒状側壁の周囲に延在する少なくとも１つの環状溝を有する。環状溝は、中央壁面部分に隣接する突出している肩を有する。少なくとも１つのチャイムは、少なくとも１つの末端壁面部分を囲む第１の環状リム部分を有する。環状リム部分は、環状溝にスナップ嵌合しおよび突出している肩に対して少なくとも部分的に着座させるのに適合した内曲げフランジを有する。
【０００６】
本発明の性質および目的のより良好な理解のために、後記の添付模式図を参照し得る。
【０００７】
発明の詳細な記載
図１および２を参照し、家庭用ビール分注の装置、器具またはユニット１０が示される。分注装置１０は、主として家庭内キッチンにおける使用を意図するが、ユーティリティルーム、ガレージ、家庭内バー、キャラバン等において用い得る。好ましい具体例は分注ビールに関するが、別法として炭酸入りの溶液または他のアルコール飲料を装置１０により分注し得る。
【０００８】
家庭用ビール分注装置１０は、正面壁１２および正面壁１２の前方に突出する分注蛇口１４を有する。また、受皿１６は、正面壁１２の前方に突出する分注蛇口１４より下に開いたガラス大樽１８を支持するように適合される。さらに、家庭用ビール分注装置１０は、キッチンのカウンター頂部上での静止に適合したベース２１を有する。正面壁１２は、閉じる位置と開く位置との間を移動して、大樽または大樽２２（図２、破線を参照されたし）が、家庭用ビール分注装置１０のハウジングに差し込まれることを可能とし得る２つの駆動する側壁２０の伸張として形成される。さらに、家庭用ビール分注装置１０のハウジングは頂壁２４および後部壁２６を含む。後部壁２６は、家庭用ビール分注装置１０内の空気循環を可能にするグリル３０を有する。電気コード３２は、装置１０の後部壁２６を通って延在し、主な電気供給への接続を供して、分注装置１０内に収容された電気コンポーネントに電力を供給する。あるいは、１２ボルトのＤＣ供給インプットを用いてもよい。
【０００９】
分注装置１０は、分注装置１０に配置したビールの大樽２２を冷却するように適合したる大樽２２の背後、およびその大樽の下に位置した冷却システム２３を有する。また、分注装置１０は、加圧空気供給（示さず）の提供によりビールを分注する。
【００１０】
図３〜８を参照し、家庭用ビール器具１０に用いる本発明の大樽およびチャイム組立体が記載される。しかしながら、本発明の大樽およびチャイム組立体が、家庭用ビール器具のため以外の適用を有することが理解されるであろう。
【００１１】
組立体は、円筒状側壁５０を有する大樽２２を含む。円筒状により、直径の変更の溝および壁部分を含み得る略円筒状の形を意味する。この点では、円筒状側壁５０は、図６に示されるごとく、第１の直径Ｄ１を有する中央壁面部分５２を有する。円筒状側壁５０は、第１の直径Ｄ１未満である、第２の直径Ｄ２を有する上部の末端壁面部分５４を有する。円筒状側壁５０は、中央壁面部分５２から上部の末端壁面部分５４を分離するように円筒状側壁５０の周囲に延在する第１の環状溝５６を有する。この第１の環状溝５６は、中央壁面部分５２に隣接して延在し、それに合体する下部の突出している肩５８を有する。
【００１２】
図５および８を参照し、大樽２２の円筒状側壁５０は、直径Ｄ２を有する下部の末端壁面部分６０を有する。さらに、円筒状側壁５０は、円筒状側壁５０の周囲に延在する第２の環状溝６２を有する。第２の環状溝６２は、中央壁面部分５２から下部の末端壁面部分６０を分離する。第２の環状溝６０は、中央壁面部分５２に隣接して延在し、それに衝突する上部の突出している肩６４を有する。
【００１３】
図６および７を参照し、大樽２２に装着された第１のチャイム４０が示される。第１のチャイム４０は、上部の末端壁面部分５４を囲む第１の環状リム部分７０を有する。第１の環状リム部分７０は、第１の環状溝５６にスナップ嵌合するのに適合された、内曲げフランジ７４を有する。また、内曲げフランジ７４は、環状溝５６の下部の突出している肩５８に対してそれ自体を収容する。示した具体例において、第１の環状リム部分７０は、リム部分７０が中央壁面部分５２から突出して延在しないように、中央壁面部分５２の第１の直径Ｄ１に実質的に相当する第１の外部のリム壁の直径Ｄ３を有する。
【００１４】
図５および８を参照し、第２のチャイム４２は大樽２２に装着されている。第２のチャイム４２は、下部の末端壁面部分６０を囲む第２の環状リム部分８０を有する。第２の環状リム部分８０は、第２の環状溝６２にスナップ嵌合するのに適合された、内曲げフランジ８２を有する。また、内曲げフランジ８２は、上部の突出している肩６４に対して収容される。示した具体例において、第２の環状リム部分８０は、リム部分８０が中央壁面部分５２から突出して延在しないように、中央壁面部分５２の第１の直径Ｄ１に実質的に相当する外部のリム壁の直径Ｄ３を有する。
【００１５】
図５に示すごとく、チャイム４０および４２は、大樽２２の外径に実質的に相当する外径を有する。従って、全体として、チャイム４０および４２により必要とされる全体的な空間または周囲領域は、器具１０への組立体の挿入および取り出しをなすことを容易とする大樽２２のそれに相当する。さらに、それぞれの肩５８および６４に対する、内曲げフランジ７４および８２の着座は、一方を他方の上とした垂直な大樽２２のスタッキングと関連した垂直力に対するチャイム４０および４２のさらなる支持を提供する。
【図面の簡単な説明】
【００１６】
【図１】図１は、本発明による家庭用ビール分注装置についての正面図である。
【図２】図２は、家庭用ビール分注装置についての側面図である。
【図３】図３は、本発明のチャイムの斜視図である。
【図４】図４は、本発明のチャイムの側面視プロフィールである。
【図５】図５は、本発明のチャイムを持つアルコールキャスト（cast）の正面図である。
【図６】図６は、大樽およびチャイムの組立体の部分断面図である。
【図７】図７は、大樽および上部チャイムの拡大した部分断面図である。
【図８】図８は、大樽および下部チャイムの拡大した部分断面図である。
【図１】
2007537949.tif 000003
【図２】
2007537949.tif 000004
【図３】
2007537949.tif 000005
【図４】
2007537949.tif 000006
【図５】
2007537949.tif 000007
【図６】
2007537949.tif 000008
【図７】
2007537949.tif 000009
【図８】
2007537949.tif 000010
【国際調査報告】
2007537949.tif 000011
2007537949.tif 000012